(57)【要約】【課題】表示の遠方からの視認性の向上を図りつつ、医療施設や介護施設における病人，老人及び障害者等の安全性の確保の万全を図ることができる表示用具の提供をする。【解決手段】平面視逆Ｖ字状に配設した左右一対の表示面１１Ａ，１１Ｂに同じく左右一対の表示窓１２，１２を一組以上形成し、対になる各表示窓１２，１２にそれぞれ同一表示内容のネームプレート３０，３０を装着してなる表示部１０を、建物の壁面Ｗに設けた収納凹部５０内に各表示面１１Ａ，１１Ｂの外側端縁１４ａ，１４ｂが壁面Ｗとほゞ面一となる状態で収納した構成。【選択図】　　　　図１
2004145105.tif 000002
【特許請求の範囲】
【請求項１】
平面視逆Ｖ字状に配設した左右一対の表示面にそれぞれ表示窓を形成するとゝもに、各表示窓にネームプレートを着脱自在に装着してなる表示部を、建物の壁面に設けた収納凹部内に、前記各表示面の外側端縁が前記壁面とほゞ面一となる状態で収納し設置したことを特徴とする表示用具。
【請求項２】
前記表示部の各表示面に左右一対の前記表示窓を一組以上形成し、対になる各表示窓にそれぞれ同一表示内容のネームプレートを装着したことを特徴とする請求項１記載の表示用具。
【請求項３】
前記ネームプレートを透光性材料で形成するとゝもに、該ネームプレートの背面側に照明器具を設置したことを特徴とする請求項１又は２記載の表示用具。
【発明の詳細な説明】
【０００１】
【発明の属する技術分野】
本発明は、医療施設や介護施設等における各種案内や入院患者の氏名などの表示に最適な表示用具に関する。
【０００２】
【従来の技術】
例えば、図５に示すように、病院では各病室Ｘの入口に入院患者の氏名を表示する表示用具１００が設置してあり、該表示用具１００は複数枚のネームプレート１０１，１０１を建物の壁面Ｗの目線とほゞ同じ高さに固定したボード１０２に差し込んだ構成となっていた。
【０００３】
しかし、図４に示すように、見舞い客などが廊下中央Ｙを図中矢印方向に歩きながら特定の入院患者の病室Ｘを探すような場合、ネームプレート１０１が壁面Ｗと平行に設置されているため、該ネームプレート１０１の正面（図中符号Ｒ参照）に近づかないとその表示内容を視認することができず、廊下中央Ｙを歩きながら遠方のネームプレート１０１の表示内容を読み取ることができないという問題があった。
【０００４】
このような問題点を解決するため、本出願人は、図６に示すような表示用具２００を提案している（特開２００１−１８８４８８号公報参照）。この表示用具２００は、平面視Ｖ字状に配設した左右一対の表示面２１１Ａ，２１１Ｂにそれぞれ表示窓２１２，２１２を形成するとゝもに、各表示窓２１２にネームプレート２３０，２３０を着脱自在に装着してなる表示部２１０を、建物の壁面Ｗに固定した長方形状の取付板２２０に嵌合保持した構成となっている。
【０００５】
このような構成によれば、各ネームプレート２３０が壁面Ｗから所定の角度で突出した状態で配置されるようになり、表示用具２００に近づかなくても遠方から各ネームプレート２０３の表示内容を容易に読み取ることができる。
【０００６】
【発明が解決しようとする課題】
しかし、上述した表示用具２００は、表示内容の遠方からの視認性の向上という有用な効果を奏するものであるが、平面視Ｖ字状の表示部２１０が壁面Ｗから廊下側に突出しているので、場合によっては該表示部２１０に衝当してしまうおそれがあった。
【０００７】
例えば、表示用具２００をオフィスビルなどに設置した場合は、表示部２１０程度の突出物に健常者である従業者等が衝当してしまうことはほとんどない。ところが、医療施設や介護施設では、体の自由が利かない病人，老人及び障害者等が壁づたいに移動し、又は、廊下で大きく距離を開けてすれ違うことが日常的に行われており、表示部２１０程度の突出物であっても衝当してしまうおそれがあった。この場合、表示部２１０に衝当すること自体にそれ程の危険性はないが、これが転倒の原因になって大事故につながる危険性があった。
【０００８】
このように、医療施設や介護施設では、これを利用する病人，老人及び障害者等の障壁となり得るおそれのあるものを最大限に取り除き、安全性の確保の万全を図るべきであり、この点で表示用具２００には未だ改良の余地があった。
【０００９】
本発明は、上記問題点に鑑みてなされたものであり、表示の遠方からの視認性の向上を図りつつ、医療施設や介護施設における病人，老人及び障害者等の安全性の確保の万全を図ることができる表示用具を提供することを目的としたものである。
【００１０】
【課題を解決するための手段】
上記の目的を達成するため、本発明の表示用具は、平面視逆Ｖ字状に配設した左右一対の表示面にそれぞれ表示窓を形成するとゝもに、各表示窓にネームプレートを着脱自在に装着してなる表示部を、建物の壁面に設けた収納凹部内に、前記各表示面の外側端縁が前記壁面とほゞ面一となる状態で収納し設置した構成とする。
【００１１】
平面視逆Ｖ字状の前記表示部を建物の壁面に設けた収納凹部内に収納し設置したことにより、該表示部の壁面からの突出をなくす又は少なくすることができ、該表示部との衝当を確実に防止し、医療施設や介護施設における病人，老人及び障害者等の安全性の確保の万全を図ることができる。
【００１２】
また、前記表示部を構成する左右一対の表示面を平面視逆Ｖ字状に配設するとゝもに、これら表示面の対になる各表示窓にそれぞれ同一表示内容のネームプレートを装着したことにより、進行方向が正・逆いづれの場合でも、一対のネームプレートのいづれか一方に表示された表示内容を遠方からでも容易に読み取ることが可能となる。
【００１３】
より好ましくは、前記ネームプレートを透光性材料で形成するとゝもに、該ネームプレートの背面側に照明器具を設置した構成とし、暗所における視認性の向上を図ってもよい。
【００１４】
【発明の実施の形態】
以下、本発明の一実施形態に係る表示用具について、図１乃至図４を参照しつつ説明する。これら図面において、本実施形態の表示用具１は、合成樹脂製の表示部１０と、同じく合成樹脂製の取付板２０と、透光性を有するアクリル製などのネームプレート３０と、照明器具（蛍光灯）４０と、建物の壁面Ｗに開口する収納凹部５０とからなっている。
【００１５】
前記表示部１０は、平面視逆Ｖ字状に配設した左右一対の表示面１１Ａ，１１Ｂに、同じく左右一対の表示窓１２，１２を五組形成した構成となっている。各表示窓１２の周縁にはネームプレート３０を保持するための周溝１２ａが設けてあり、表示部１０の側板に形成したスリット１２ｂから周溝１２ａにネームプレート３０を挿抜するようにしてある。本実施形態では、対になる各表示窓１２，１２にそれぞれ同一表示内容のネームプレート３０，３０が装着してある。
【００１６】
ここで、図３におけるＰは、表示部１０を収納凹部５０に収納したときの表示面１１Ａに装着されたネームプレート３０の視認可能範囲を示すものであり、一点鎖線Ｐ１，Ｐ２により画されている。Ｐ１は表示面１１Ｂの傾斜角によって定まる視界の境界線であり、また、Ｐ２は表示部１０の正面を画する一方の境界線であり、これらＰ１，Ｐ２より内側の範囲内で表示面１１Ａのネームプレート３０が視認可能となる。
【００１７】
これと同様にＱは、表示面１１Ｂのネームプレート３０の視認可能範囲を示すものであり、二点鎖線Ｑ１，Ｑ２により画されている。Ｑ１は表示面１１Ａの傾斜角によって定まる視界の境界線であり、また、Ｑ２は表示部１０の正面を画する他方の境界線であり、これらＱ１，Ｑ２より内側の範囲内で表示面１１Ｂのネームプレート３０が視認可能となる。
【００１８】
よって、本実施形態の表示用具１では、視認可能範囲Ｐ，Ｑを総合した広範囲内で各表示面１１Ａ，１１Ｂのネームプレート３０，３０を視認することができる。なお、実際には、Ｐ２よりも外側の範囲で表示面１１Ａのネームプレート３０を視認可能であり、また、Ｑ２よりも外側の範囲で表示面１１Ｂのネームプレート３０を視認可能であるが、この場合、Ｐ２よりも外側の範囲では表示面１１Ｂのネームプレート３０が視認可能であり、同様に、Ｑ２よりも外側の範囲では表示面１１Ａのネームプレート３０が視認可能であり、結局、Ｐ２，Ｑ２によって表示面１１Ａ，１１Ｂのネームプレート３０，３０の視認可能範囲を区別することはあまり重要でない。
【００１９】
また、前記取付板２０は表示部１０と同一の外形寸法としてあり、その開口縁部２１の内側に、表示部１０の背面側にあってその周縁部に沿って突設した係合リブ１３を係合させることによって、前記表示部１０と一体となる構成となっている。
【００２０】
前記照明器具４０，４０は前記取付板２０の左右両側にそれぞれ配設されており、その開口縁部２１に前記表示部１０を取り付けたときに、該表示部１０内に収まって内部から各表示面１１Ａ，１１Ｂのネームプレート３０を裏面側からそれぞれ照明する。なお、本表示用具１では、表示部１０を収納凹部５０内に収納し設置する構成となっているので、照明器具４０の果たす役割は従来の表示用具２００（図６参照）と比較して大きいといえる。
【００２１】
収納凹部５０は医療施設又は介護施設等の建物の壁面Ｗに設けてあり、その縦幅・横幅を前記取付板２０とほゞ同じ寸法の長方形状としてある。また、この収納凹部５０の奥行きを前記表示部１０の奥行きとほゞ同じ寸法としてあり、該表示部１０を収納凹部５０内に収納したとき、各表示面１１Ａ，１１Ｂの外側端縁１４ａ，１４ｂが壁面Ｗとほゞ面一となるにしてある。
【００２２】
ここで、前記各表示面１１Ａ，１１Ｂの外側端縁１４ａ，１４ｂを壁面Ｗとほゞ面一にしたのは、収納凹部５０の奥行きが浅すぎると表示部１０の外側端縁１４ａ，１４ｂが壁面Ｗから突出して衝当の危険があり、逆に、収納凹部５０の奥行きが深すぎると、該収納凹部５０の左右側壁５１，５２が境界線Ｐ１，Ｑ１と抵触して、各表示面１１Ａ，１１Ｂの視認可能範囲Ｐ，Ｑが阻害されてしまうからである。
【００２３】
このような本実施形態の表示用具１によれば、図２に示すように、平面視逆Ｖ字状の表示部１０を建物の壁面Ｗに設けた収納凹部５０内に収納したことによって、前記表示部１０の壁面Ｗからの突出をなくす又は少なくすることができ、該表示部１０との衝当を確実に防止し、医療施設や介護施設における病人，老人及び障害者等の安全性の確保の万全を図ることができる。
【００２４】
また、表示部１０を構成する左右一対の表示面１１Ａ，１１Ｂを平面視逆Ｖ字状に配設するとゝもに、これら表示面１１Ａ，１１Ｂの対になる各表示窓１２，１２にそれぞれ同一表示内容のネームプレート３０を装着したことにより、進行方向に左右されることなく左側の表示面１１Ａ又は右側の表示面１１Ｂのどちらか一方のネームプレート３０を視認することができ、該ネームプレート３０に表示した表示内容を遠方からでも容易に読み取ることが可能となる。
【００２５】
詳述すると、図４におけるＰ，Ｑは本実施形態の表示用具１、Ｒは従来の表示用具１００の視認可能範囲を示すものである。両者の視認可能範囲を明確に特定し比較するための便宜として、各視認可能範囲Ｐ，Ｑ，Ｒは表示面１１Ａ，１１Ｂの各ネームプレート３０（図１参照）及びネームプレート１０１（図５参照）の各正面の視界に限定してある。
【００２６】
この図４から明らかなように、見舞い客などが廊下中央Ｙを図中矢印方向に歩きながら特定の入院患者の病室Ｘを探すような場合、見舞い客は従来の表示用具１００の視認可能範囲Ｒより先に本実施形態の表示用具１の視認可能範囲Ｐ，Ｑに到達するので、本実施形態の表示用具１の方が各ネームプレート３０に表示された表示内容をより遠方から容易に読み取ることが可能である。
【００２７】
さらに、ネームプレート３０を透光性材料で形成するとゝもに、該ネームプレート３０の背面側に照明器具４０を設置した構成としたことにより、暗所における視認性を向上させることができる。
【００２８】
なお、本発明の表示用具は上記実施形態に限定されるものではない。例えば、上記実施形態では、各表示面１１Ａ，１１Ｂに左右一対の表示窓１２，１２を五組形成し、対になる各表示窓１２，１２にそれぞれ同一表示内容のネームプレート３０，３０を装着する構成としたが、これに限らず、前記各表示面１１Ａ，１１Ｂに左右一対の表示窓１２，１２を二組以上形成し、対になる各表示窓１２，１２にそれぞれ同一表示内容のネームプレート３０，３０を装着する構成としてもよい。
【００２９】
また、上記実施形態では、取付板２０を介して表示部１０を収納凹部５０内に収納し設置する構成としたが、これに限らず、取付板２０を構成から除外して表示部１０を直接収納凹部５０の奥端面５３に固定する構成としてもよい。但し、取付板２０を介して表示部１０を設置した方が、該表示部１０を収納凹部５０から容易に着脱することができる。
【００３０】
【発明の効果】
以上のように、本発明の表示用具によれば、平面視逆Ｖ字状の前記表示部を建物の壁面に設けた収納凹部内に収納し設置したことにより、該表示部の壁面からの突出をなくす又は少なくすることができ、該表示部との衝当を確実に防止し、医療施設や介護施設における病人，老人及び障害者等の安全性の確保の万全を図ることができる。
【００３１】
また、前記表示部を構成する左右一対の表示面を平面視逆Ｖ字状に配設するとゝもに、これら表示面の対になる各表示窓にそれぞれ同一表示内容のネームプレートを装着したことにより、進行方向に左右されることなく左側の表示面１１Ａ又は右側の表示面１１Ｂのどちらか一方のネームプレート３０を視認することができ、該ネームプレート３０に表示した表示内容を遠方からでも容易に読み取ることが可能となる。
【００３２】
さらに、ネームプレートを透光性材料で形成するとゝもに、該ネームプレートの背面側に照明器具を設置した構成としたことにより、暗所における視認性を向上させることができる、といった諸効果がある。
【図面の簡単な説明】
【図１】本発明の一実施形態に係る表示用具の分解斜視図である。
【図２】図１に示す本表示用具の設置状態を示す斜視図である。
【図３】図２のＡ−Ａ線断面作用説明図である。
【図４】本表示用具と図５に示す従来の表示用具における表示内容の視認可能範囲を比較するための説明図である。
【図５】従来の表示用具の斜視図である。
【図６】その他の従来の表示用具の斜視図である。
【符号の説明】
１　表示用具
１０　表示部
１１Ａ，１１Ｂ　表示面
１２　表示窓
１２ａ　周溝
１２ｂ　スリット
１３　係合リブ
１４ａ，１４ｂ　外側端縁
２０　取付板
２１　開口縁部
３０　ネームプレート
４０　照明器具（蛍光灯）
５０　収納凹部
５１　左側壁
５２　右側壁
Ｗ　壁面
【図１】
2004145105.tif 000003
【図２】
2004145105.tif 000004
【図３】
2004145105.tif 000005
【図４】
2004145105.tif 000006
【図５】
2004145105.tif 000007
【図６】
2004145105.tif 000008